(57)【要約】【課題】リール脚固定装置を握持した際にリールシートに形成されるネジによる違和感や痛みを伴わないリール脚固定装置を提供する。【解決手段】本発明のリール脚固定装置は、一対の筒状の移動フード１３，１５を操作ナットによりリールシート１１上で軸方向に移動させることによってリール脚の着脱を行なう。リールシート１１の外周には、少なくともリール脚が載置される載置面１２とは反対側の外周領域を避けるように操作ナットが螺合するネジ１１ａがほぼ半周にわたって形成される。【選択図】  図３
2019122336.tif 000002
【特許請求の範囲】
【請求項１】
魚釣用リールのリール脚を収容できる開口を形成するように膨出する膨出部を有する一対の筒状の移動フードを操作ナットによりリールシート上で軸方向に移動させることによって前記リール脚の着脱を行なうリール脚固定装置であって、
前記リールシートの外周には、少なくとも前記リール脚が載置される載置面とは反対側の外周領域を避けるように前記操作ナットが螺合するネジがほぼ半周にわたって形成されることを特徴とするリール脚固定装置。
【請求項２】
前記リールシートのほぼ半周わたって形成される前記ネジのネジ山の端縁の全ては、前記ネジが形成されていない前記リールシートの外周領域の外表面と面一になるようにテーパ状に形成されることを特徴とする請求項１に記載のリール脚固定装置。
【請求項３】
前記移動フードの内面には、前記リールシートの外表面と接触してリール脚固定時の前記移動フードの回転方向のガタつきを防止する凸部が軸方向に沿って形成されることを特徴とする請求項１又は２に記載のリール脚固定装置。
【請求項４】
前記リールシートには、前記載置面の側に、前記操作ナットの回転操作に伴う前記移動フードの回転を規制するためのキー溝が軸方向に沿って形成されることを特徴とする請求項１から３のいずれか一項に記載のリール脚固定装置。
【発明の詳細な説明】
【技術分野】
【０００１】
釣竿に装着され、各種の魚釣用リールを取り付け可能とするリール脚固定装置に関する。
【背景技術】
【０００２】
従来、例えば、特許文献１に開示されているように、軸長方向に離間する移動フードと固定フードとを備え、リール脚の一端を固定フードに差し込むとともにリール脚の他端を軸方向に移動する移動フードで押え付けることにより魚釣用リールを固定するタイプのリール脚固定装置が知られている。この場合、固定フード及び移動フードは、釣竿の元竿杆の外周に被着されるパイプ状のリールシートに配設されており、移動フードに隣接配置された操作ナットを回転することで移動フードを固定フードに対して接近／離反させ、これにより、魚釣用リールの着脱がなされる。
【０００３】
また、前記固定フードも移動フードに取って代えられたリール脚固定装置も知られている（例えば、特許文献２参照）。すなわち、このリール脚固定装置は、互いに軸長方向に離間して軸方向に移動する一対の移動フードを備え、リール脚の一端を一方の移動フードに差し込むとともにリール脚の他端を他方の移動フードで押え付けることにより魚釣用リールを固定する。この場合、一対の移動フードは、釣竿の元竿杆の外周に被着されるパイプ状のリールシートに配設されており、各移動フードに隣接配置された操作ナットを回転することで一対の移動フードを互いに接近／離反させ、これにより、魚釣用リールの着脱がなされる。
【先行技術文献】
【特許文献】
【０００４】
【特許文献１】特開２００６−２０４２６１号公報
【特許文献２】特開２０１４−１８０８８号公報
【発明の概要】
【発明が解決しようとする課題】
【０００５】
ところで、特許文献２に開示されるように一対の移動フードを互いに接近／離反させることにより魚釣用リールの着脱を行なうリール脚固定装置では、操作ナットの雌ネジが螺合する雄ネジが、リール脚を載置する載置面を含むリールシートの領域にわたって全周面に設けられている。そのため、釣竿の元竿杆と共にリール脚固定装置を握って釣竿やリールを操作する際に、掌や指がリールシートの雄ネジに触れ、釣人が違和感や痛みを感じる場合がある。
【０００６】
本発明は、上記した問題に基づいてなされたものであり、リール脚固定装置を握持した際にリールシートに形成されるネジによる違和感や痛みを伴わないリール脚固定装置を提供することを目的とする。
【課題を解決するための手段】
【０００７】
上記した課題を解決するために、本発明は、魚釣用リールのリール脚を収容できる開口を形成するように膨出する膨出部を有する一対の筒状の移動フードを操作ナットによりリールシート上で軸方向に移動させることによって前記リール脚の着脱を行なうリール脚固定装置であって、前記リールシートの外周には、少なくとも前記リール脚が載置される載置面とは反対側の外周領域を避けるように前記操作ナットが螺合するネジがほぼ半周にわたって形成されることを特徴とする。
【０００８】
上記構成によれば、操作ナットが螺合するネジが、少なくともリール脚が載置される載置面とは反対側の外周領域を避けるようにリールシートのほぼ半周にわたって形成されるため、言い換えると、釣人が握持し得るリールシートの外周部位にはネジが形成されていないため、リール脚固定装置を握持した際にリールシートに形成されるネジによって釣人が違和感や痛みを感じずに済み、握り心地が良い。
【０００９】
この場合、リールシートのほぼ半周わたって形成されるネジのネジ山の端縁の全ては、ネジが形成されていないリールシートの外周領域の外表面と面一になるようにテーパ状に形成されることが好ましい。このようにすると、ネジが形成されているリールシートの外周面部位とネジが形成されていないリールシートの外周面部位との境界領域に位置されるネジ山の端縁に触れることによって違和感や痛みを感じるといった不具合も解消でき、握り心地が更に良くなる。
【発明の効果】
【００１０】
本発明によれば、リール脚固定装置を握持した際にリールシートに形成されるネジによる違和感や痛みを伴わないリール脚固定装置が得られる。
【図面の簡単な説明】
【００１１】
【図１】リール脚固定装置が装着された釣竿の一例を示す図である。
【図２】本発明に係るリール脚固定装置の一実施形態を示す側面図である。
【図３】（ａ）は、リール脚固定装置をリール脚載置面側から見た概略平面図、（ｂ）は、リール脚固定装置の概略側面図である。
【図４】図３の（ｂ）のＡ−Ａ線に沿う概略断面図である。
【図５】ネジ山端縁の第１の変形例を示す図４に対応する概略断面図である。
【図６】ネジ山端縁の第２の変形例を示す図４に対応する概略断面図である。
【発明を実施するための形態】
【００１２】
図１は、本発明に係るリール脚固定装置が装着される釣竿の一例を示す図である。
釣竿１は、複数の竿杆を継合することで構成されており、本実施形態では、元竿杆３、中竿杆５、及び、穂先竿杆７の３本の竿杆を並継式で継合している。中竿杆５については無い構成であっても良いし、４本以上継合する構成であってもよい。また、釣竿は、並継式以外にも、１本竿、振り出し竿、中通し式など、その構成については特に限定されることはない。
【００１３】
元竿杆３には、魚釣用リール７０が装着されるリール脚固定装置１０が設けられ、各竿杆には、所定間隔をおいて、魚釣用リール７０から繰り出される釣糸を案内する複数の釣糸ガイド８（穂先竿杆７の先端はトップガイド８ａ）が装着されている。釣糸ガイド８については、竿杆に対して固定される固定ガイドとして構成されていてもよいし、竿杆に沿って摺動可能な遊動ガイドとして構成されていてもよい。
【００１４】
元竿杆３、中竿杆５、及び、穂先竿杆７は、強化繊維（例えば炭素繊維やガラス繊維等）に、エポキシ樹脂等の合成樹脂を含浸した繊維強化樹脂材で構成されており、管状体、或いは、中実体として構成されている。
【００１５】
元竿杆３に設けられるリール脚固定装置１０は、魚釣用リール７０のリール脚７１を収容できる開口を形成するように膨出する膨出部を有する一対の筒状の移動フードを操作ナットによりリールシート上で軸方向に移動させることによってリール脚の着脱を行なうようになっている。
【００１６】
以下、図２〜図４を参照して、本実施形態のリール脚固定装置１０の構成について具体的に説明する。
リール脚固定装置１０は、元竿杆３に対して外嵌される筒状に形成されたリールシート１１を備えている。リールシート１１は、例えば、合成樹脂によって一体形成されており、魚釣用リール７０のリール脚７１が載置される載置面１２と、載置面１２の穂先側に配設される第１の移動フード１３と、載置面１２の基端側に配設される第２の移動フード１５とを備えている。
【００１７】
第１の移動フード１３は、軸方向に沿って移動可能に構成され、リールシート１１と別体として形成されたフード部１３Ａを備えている。このフード部１３Ａは、リール脚７１の先端側脚部７１ａを収容できるように膨出した膨出部１３ａと、膨出部１３ａの基端側に一体形成された円筒部１３ｂとを備えている。すなわち、膨出部１３ａは、円筒部１３ｂの外周の所定範囲の円弧領域が穂先側に移行するに連れて次第に上昇する形状となっており、リール脚７１の先端側脚部７１ａは、そのような膨出部１３ａの開口１３ｃを介して挿入される。
【００１８】
第２の移動フード１５も第１の移動フード１３と同様に形成されている。すなわち、この第２の移動フード１５は、軸方向に沿って移動可能に構成され、リールシート１１と別体として形成されたフード部１５Ａを備えている。フード部１５Ａは、リール脚７１の基端側脚部７１ｂを収容できるように膨出した膨出部１５ａと、膨出部１５ａの基端側に一体形成された円筒部１５ｂとを備えている。すなわち、膨出部１５ａは、円筒部１５ｂの外周の所定範囲の円弧領域が穂先側に移行するに連れて次第に上昇する形状となっており、リール脚７１の基端側脚部７１ｂは、そのような膨出部１５ａの開口１５ｃを介して挿入される。
【００１９】
リールシート１１の外周面には、リール脚７１を載置する載置面１２を含むリールシート１１のほぼ全長にわたって雄ネジ１１ａが一体形成されており、この雄ネジ１１ａには、回転操作することで軸方向に沿って移動する操作ナット１８（の内周面に形成される雌ネジ）が螺合されている。操作ナット１８は、各移動フード１３，１５に隣接して位置されており、移動フード１３，１５の円筒部１３ｂ，１５ｂに共回りしないように公知の手段により接続されている。したがって、移動フード１３，１５は、操作ナット１８と共に軸方向に移動できるが、操作ナット１８と共に回転しない。
【００２０】
また、操作ナット１８を締め付ける方向に回転操作した際に移動フード１３，１５を回転させることなく互いに接近させ、かつ、操作ナット１８を緩める方向に回転操作した際に移動フード１３，１５を回転させることなく互いに離反させる方向に安定して並進移動（軸方向移動）させることができるように、本実施形態のリール脚固定装置１０には、操作ナット１８の回転操作に伴う移動フード１３，１５の回転を規制する規制手段が設けられる。この規制手段は、本実施形態では、移動フード１３，１５の例えば円筒部１３ｂ，１５ｂの基端の内面に設けられて径方向内方に突出する係止突起（図示せず）と、リールシート１１の載置面１２の側の外周面部位に軸方向に沿って形成されて前記係止突起が移動可能に係合するキー溝４０（図３の（ａ）参照）とによって形成される。
【００２１】
このような構成によれば、各操作ナット１８を締め付ける方向に回転操作すると、操作ナット１８が螺進するとともに、移動フード１３，１５が回転することなく互いに接近するように軸方向に移動され、したがって、載置面１２に載置されたリール脚７１は、移動フード１３，１５間で締め付け固定される。一方、各操作ナット１８を緩める方向に回転操作すると、操作ナット１８が螺進するとともに、移動フード１３，１５が回転することなく互いに離反するように軸方向に移動され、したがって、載置面１２に載置されたリール脚７１を移動フード１３，１５から取り外すことが可能となる。
【００２２】
本実施形態において、操作ナット１８が螺合するリールシート１１の外周の雄ネジ１１ａは、前述したようにリール脚７１を載置する載置面１２を含むリールシート１１のほぼ全長にわたって形成されるが、図３に示されるように、少なくともリール脚７１が載置される載置面１２とは反対側のリールシート１１の外周領域１１Ａを避けるようにリールシート１１のほぼ半周（ほぼ１８０°）にわたって形成されている。
【００２３】
特に、本実施形態において、雄ネジ１１ａは、図３の（ｂ）に示されるように、側面視でリールシート１１の中心軸線Ｏを境界として載置面１２側に位置されるリールシート１１の外周領域（外周面部位）１１Ｂにほぼ半周（ほぼ１８０°）にわたって設けられている。したがって、中心軸線Ｏを境界として載置面１２とは反対側に位置されるリールシート１１の外周領域（外周面部位）１１Ａには雄ネジ１１ａがほぼ半周（ほぼ１８０°）にわたって設けられていない。
【００２４】
なお、本実施形態では、雄ネジ１１ａの存在領域と不存在領域との境界が側面視でリールシート１１の中心軸線Ｏであるが、雄ネジ１１ａの半周にわたる形成形態は、これに限らない。例えば、右利き用又は左利き用に合わせて、雄ネジ１１ａのネジ山３０の端縁が左側（又は右側）で中心軸線Ｏを越えて上方（載置面１２と反対側）で終端し且つ右側（又は左側）で中心軸線Ｏよりも下方（載置面１２側）で終端するように雄ネジ１１ａがほぼ半周（ほぼ１８０°）にわたって形成されてもよい。
【００２５】
また、本実施形態において、リールシート１１のほぼ半周わたって形成される雄ネジ１１ａのネジ山３０の端縁３０ａの全ては、図４に明確に示されるように、雄ネジ１１ａが形成されていないリールシート１１の外周領域１１Ａの外表面と面一になるようにテーパ状に形成されている（ネジ山３０がその端縁部でリールシート１１の外表面から突出しないように削られている）。具体的には、本実施形態では、図４の上方から見てネジ山３０の端縁３０ａがリールシート１１の最大幅（直径寸法）Ｌで切り落とされており（最大幅Ｌを越えて径方向外方に突出しないように切り落とされており）、リールシート１１を握った際にネジ山３０が手指に当たらないようになっている。なお、ネジ山３０の端縁３０ａの形態は、これに限定されず、例えば図５に示されるように、ネジ山３０の端縁３０ｂをリールシート１１の最大幅Ｌで切り落とすことなくリールシート１１の最大幅Ｌを越えた径方向外方位置から徐々にリールシート１１の外径に近づいて面一になるようなテーパ形状にしてもよく、或いは、図６に示されるように、図４に示される切り落とし状態から更にネジ山３０の端縁３０ｃをリールシート１１の最大幅Ｌ以下までテーパ状に切り落としてもよい。また、このようなテーパ形状（端縁３０ａ，３０ｂ，３０ｃ）を直線状ではなく円弧状にしても構わない。なお、図４〜図６はいずれも、リールシート１１に元竿杆３が通された中実状態で断面ハッチングが付されている。
【００２６】
また、本実施形態において、各移動フード１３，１５の内面には、図４に明確に示されるように、リールシート１１の外表面と接触してリール脚固定時の移動フード１３，１５の回転方向のガタつきを防止する凸部６０が軸方向に沿って形成される。特に本実施形態において、凸部６０は、雄ネジ１１ａのネジ山３０の高さと同一の高さを有しており、載置面１２側に位置される膨出部１３ａとは反対側の移動フード１３，１５の部位の内面に設けられる。なお、凸部６０は、図４では１つしか設けられていないが、周方向に沿って複数設けられても構わない。
【００２７】
以上説明したように、本実施形態によれば、操作ナット１８が螺合する雄ネジ１１ａが、少なくともリール脚７１が載置される載置面１２とは反対側の外周領域１１Ａを避けるようにリールシート１１のほぼ半周にわたって形成されるため、言い換えると、釣人が握持し得るリールシート１１の外周領域１１Ａにはネジが形成されていないため、リール脚固定装置１０を握持した際にリールシート１１に形成される雄ネジ１１ａによって釣人が違和感や痛みを感じずに済み、握り心地が良い。
【００２８】
また、本実施形態において、リールシート１１のほぼ半周わたって形成される雄ネジ１１ａのネジ山３０の端縁３０ａの全ては、雄ネジ１１ａが形成されていないリールシート１１の外周領域１１Ａの外表面と面一になるようにテーパ状に形成されているため、雄ネジ１１ａが形成されているリールシート１１の外周面部位と雄ネジ１１ａが形成されていないリールシート１１の外周面部位との境界領域に位置されるネジ山３０の端縁に触れることによって違和感や痛みを感じるといった不具合も解消でき、握り心地が更に良くなる。
【００２９】
また、本実施形態では、リールシート１１の外表面と接触する凸部６０が各移動フード１３，１５の内面に設けられ、この凸部６０によってリール脚固定時の移動フード１３，１５の回転方向のガタつきを防止できるため、リール脚７１をガタつきなく安定して保持固定できる。
【００３０】
以上、添付図面に関連して本発明の実施形態を説明してきたが、本発明は、前述した実施形態に限定されず、その要旨を逸脱しない範囲で種々変形して実施できる。例えば、移動フードの形態、リールシートの形状、凸部の数及び配置形態、雄ネジの形成形態、ネジ山の端縁の形状等は、前述した実施形態に限定されない。
【符号の説明】
【００３１】
１０  リール脚固定装置
１１  リールシート
１１Ａ，１１Ｂ  外周領域
１１ａ  雄ネジ（ネジ）
１２  載置面
１３，１５  移動フード
１３ａ，１５ａ  膨出部
１３ｃ，１５ｃ  開口
１８  操作ナット
３０  ネジ山
３０ａ  端縁
４０  キー溝
６０  凸部
７０  魚釣用リール
７１  リール脚
【図１】
2019122336.tif 000003
【図２】
2019122336.tif 000004
【図３】
2019122336.tif 000005
【図４】
2019122336.tif 000006
【図５】
2019122336.tif 000007
【図６】
2019122336.tif 000008